(57)【特許請求の範囲】
【請求項１】
複数のコンテンツの各起動操作の対象となる複数の操作対象画像を出力する出力部と、
前記各起動操作を含むユーザの操作が入力される操作入力部と、
前記複数のコンテンツと、前記各起動操作の履歴情報とを記憶する記憶部と、
前記履歴情報を基に、前記複数の操作対象画像に前記各起動操作が入力されない期間の長さに応じたレベルで、前記複数の操作対象画像に経年変化の表現を付与し、かつ、前記経年変化の表現が付与された操作対象画像に、前記各起動操作とは異なる所定の操作が入力された場合に、前記経年変化の表現の少なくとも一部を消去するように、前記出力部を制御する制御部と
を具備し、
前記制御部は、前記経年変化の表現として、前記各操作対象画像上に埃を表現した埃画像を重畳し、前記所定の操作として、前記各操作対象画像上で所定時間内に所定方向で往復するドラッグ操作が入力された場合に、前記各操作対象画像から前記埃画像を消去するように前記出力部を制御する
情報処理装置。
【請求項２】
請求項１に記載の情報処理装置であって、
前記制御部は、前記各操作対象画像に付与された経年変化の表現の段階が所定の閾値を超えた場合に当該各操作対象画像を消去するように前記出力部を制御する
情報処理装置。
【請求項３】
請求項１に記載の情報処理装置であって、
前記制御部は、前記各操作対象画像上で入力された前記ドラッグ操作の回数に応じて前記埃画像を所定量ずつ消去するように前記出力部を制御し、当該消去後に前記各操作対象画像上に残った埃画像の量に応じて、前記各起動操作が入力されない期間を計算する
情報処理装置。
【請求項４】
請求項１に記載の情報処理装置であって、
前記操作入力部はタッチパネルを有し、
前記制御部は、前記タッチパネル上での前記ユーザの指による前記ドラッグ操作中の接触圧力または接触面積に応じて、前記消去される埃画像の量を可変するように前記出力部を制御し、当該消去後に前記各操作対象画像上に残った埃画像の量に応じて、前記各起動操作が入力されない期間を計算する
情報処理装置。
【請求項５】
複数のコンテンツの各起動操作の対象となる複数の操作対象画像を出力する出力部と、
前記各起動操作を含むユーザの操作が入力される操作入力部と、
前記複数のコンテンツと、前記各起動操作の履歴情報とを記憶する記憶部と、
前記履歴情報を基に、前記複数の操作対象画像に前記各起動操作が入力されない期間の長さに応じたレベルで、前記複数の操作対象画像に経年変化の表現を付与し、かつ、前記経年変化の表現が付与された操作対象画像に、前記各起動操作とは異なる所定の操作が入力された場合に、前記経年変化の表現の少なくとも一部を消去するように、前記出力部を制御する制御部と
を具備し、
前記出力部は、前記各操作対象画像を平面方向から捉えた第１の画面と、前記各操作対象画像を側面方向から捉えた第２の画面とを切り替えて出力可能であり、
前記制御部は、
前記経年変化の表現として、前記第１の画面上及び前記第２の画面上で、前記各操作対象画像が当該各操作対象画像の主面の垂直方向に沈み込むような三次元表現を付与し、
前記所定の操作として、前記第２の画面上で前記沈み込んだ各操作対象画像を上方に移動させるドラッグ操作が入力された場合に、当該ドラッグ操作後に切り替わった前記第１の画面上で、前記ドラッグ操作による前記各操作対象画像の移動距離に応じて、前記沈み込むような三次元表現を変化させる
ように前記出力部を制御する
情報処理装置。
【請求項６】
請求項５に記載の情報処理装置であって、
当該情報処理装置の傾きを検出するセンサをさらに具備し、
前記制御部は、前記センサにより検出された傾きに応じて前記第１の画面と前記第２の画面とを切り替えるように前記出力部を制御する
情報処理装置。
【請求項７】
請求項１または５に記載の情報処理装置であって、
前記記憶部は、前記各コンテンツの種別を示すメタデータを記憶し、
前記制御部は、前記記憶されたメタデータに応じて、前記経年変化の表現の程度を可変するように前記出力部を制御する
情報処理装置。
【請求項８】
請求項１または５に記載の情報処理装置であって、
前記制御部は、特定のコンテンツに対応する前記操作対象画像については前記経年変化の表現を付与しないように前記出力部を制御する
情報処理装置。
【請求項９】
複数のコンテンツの各起動操作の対象となる複数の操作対象画像を出力し、
ユーザから前記各起動操作を受け付け、
前記各起動操作の履歴情報を記憶し、
前記履歴情報を基に、前記複数の操作対象画像に前記各起動操作が入力されない期間の長さに応じたレベルで、前記複数の操作対象画像に経年変化の表現を付与し、
前記経年変化の表現が付与された操作対象画像に、前記各起動操作とは異なる所定の操作が入力された場合に、前記経年変化の表現の少なくとも一部を消去し、
前記経年変化の表現として、前記各操作対象画像上に埃を表現した埃画像を重畳し、前記所定の操作として、前記各操作対象画像上で所定時間内に所定方向で往復するドラッグ操作が入力された場合に、前記各操作対象画像から前記埃画像を消去する
情報処理方法。
【請求項１０】
複数のコンテンツの各起動操作の対象となる複数の操作対象画像を出力し、
ユーザから前記各起動操作を受け付け、
前記各起動操作の履歴情報を記憶し、
前記履歴情報を基に、前記複数の操作対象画像に前記各起動操作が入力されない期間の長さに応じたレベルで、前記複数の操作対象画像に経年変化の表現を付与し、
前記経年変化の表現が付与された操作対象画像に、前記各起動操作とは異なる所定の操作が入力された場合に、前記経年変化の表現の少なくとも一部を消去し、
前記各操作対象画像を平面方向から捉えた第１の画面と、前記各操作対象画像を側面方向から捉えた第２の画面とを切り替えて出力し、
前記経年変化の表現として、前記第１の画面上及び前記第２の画面上で、前記各操作対象画像が当該各操作対象画像の主面の垂直方向に沈み込むような三次元表現を付与し、
前記所定の操作として、前記第２の画面上で前記沈み込んだ各操作対象画像を上方に移動させるドラッグ操作が入力された場合に、当該ドラッグ操作後に切り替わった前記第１の画面上で、前記ドラッグ操作による前記各操作対象画像の移動距離に応じて、前記沈み込むような三次元表現を変化させる
情報処理方法。
【請求項１１】
情報処理装置に、請求項９または１０の情報処理方法における各ステップを実行させるプログラム。
【発明の詳細な説明】
【技術分野】
【０００１】
本発明は、例えばアイコン等の画像によりコンテンツを管理する情報処理装置、当該情報処理装置における情報処理方法及びプログラムに関する。
【背景技術】
【０００２】
近年、記憶装置の記憶容量の増大に伴い、情報処理装置に保存できるアプリケーションやファイル等のコンテンツ数も増大している。このような多数のコンテンツの中から、ユーザが必要なコンテンツを探索する際には、頻繁にアクセスするコンテンツと、そうでないものとを見分ける手段があれば、ユーザの操作負担も軽減される。
【０００３】
このような手段の一つとして、コンテンツへのアクセス履歴（起動操作履歴）を管理し、使用頻度の高いコンテンツを例えばリスト上で上位に表示し、使用頻度の低いコンテンツを下位に表示することで、コンテンツへのアクセスのしやすさを向上させる機能を備えたソフトウェアが存在する。
【０００４】
また、下記特許文献１には、複数のアイコンのうち選択されたアイコンの輝度またはコントラストを上下させることで、他のアイコンよりも目立つように表示することが可能な情報処理装置が記載されている。
【０００５】
さらに、ファイル等の経年変化を表現する手法として、アクセス頻度の低さに応じて、アイコンに、紙が古くなっていくような表現を適用する技術も存在する。
【先行技術文献】
【特許文献】
【０００６】
【特許文献１】特開２００９−２５９０５号公報
【発明の概要】
【発明が解決しようとする課題】
【０００７】
しかしながら、上記使用頻度の高いコンテンツを上位に表示する方法では、使用頻度が高いコンテンツへのアクセスのしやすさは確保されるが、ユーザが時々利用したいコンテンツは依然として上記表示では見つけづらい。したがってユーザは例えば自ら入力した文字列による検索等を行う必要があり、ユーザの操作負荷が高くなってしまう。
【０００８】
また、上記特許文献１に記載の技術でも、上記と同様に、アクセス頻度の低いアイコンは見つけづらいままであり、それを目立たせようとするためには、アイコンを選択してコンテンツにアクセスする必要がある。
【０００９】
さらに、上記紙が古くなっていくような表現を用いる技術においても、一旦古くなったアイコンを元の新しい状態に戻すためには、アイコンを選択してコンテンツにアクセスする必要がある。アイコンを新しい状態のまま残すためだけにコンテンツにアクセスすることはユーザに無駄な操作を強いることになり、著しく利便性を害する。
【００１０】
以上のような事情に鑑み、本発明の目的は、コンテンツの起動操作の頻度に応じて、当該コンテンツの起動操作対象画像を容易に区別可能なように変化させるとともに、当該変化を少なくとも部分的に容易にキャンセルすることが可能な情報処理装置、情報処理方法及びプログラムを提供することにある。
【課題を解決するための手段】
【００１１】
上記目的を達成するため、本発明の一形態に係る情報処理装置は、出力部と、操作入力部と、記憶部と、制御部とを有する。上記出力部は、複数のコンテンツの各起動操作の対象となる複数の操作対象画像を出力する。上記操作入力部は、上記各起動操作を含むユーザの操作を入力される。上記記憶部は、上記複数のコンテンツと、上記各起動操作の履歴情報とを記憶する。上記制御部は、上記履歴情報を基に、上記複数の操作対象画像に上記各起動操作が入力されない期間の長さに応じたレベルで、上記複数の操作対象画像に経年変化の表現を付与するように上記出力部を制御する。さらに制御部は、上記経年変化の表現が付与された操作対象画像に、上記各起動操作とは異なる所定の操作が入力された場合に、上記経年変化の表現の少なくとも一部を消去するように、上記出力部を制御する。
【００１２】
この構成により情報処理装置は、コンテンツの起動操作の頻度に応じて、当該コンテンツの操作対象画像に経年変化の表現を付与することで、ユーザに利用頻度の高いコンテンツのみならず利用頻度の低いコンテンツも容易に区別して認識させることができる。さらに情報処理装置は、当該コンテンツを起動させることなく上記経年変化の表現を少なくとも部分的に容易にキャンセルすることができ、これによりユーザは当該コンテンツを利用頻度の高いコンテンツとして再認識することができる。
【００１３】
ここで、コンテンツとは、例えばファイルやアプリケーション等である。また、操作対象画像とは、アイコンのほか、例えば電子メールクライアントにより表示される電子メールのリスト中の各項目のように、それに対する操作によってコンテンツを起動する（開く）ことが可能な画像である。上記出力部は、情報処理装置に内蔵された表示部であってもよいし、情報処理装置と外部接続された表示部へ画像を出力する出力端子であってもよい。
【００１４】
上記制御部は、上記複数の操作対象画像に上記各起動操作が入力されない期間が所定期間を超えた場合に当該各操作対象画像を消去するように上記出力部を制御してもよい。
【００１５】
これにより情報処理装置は、利用頻度の低いコンテンツの操作対象画像を自動的に整理することができる。ユーザは、当該操作対象画像が消去されるのを望まない場合は、当該操作対象画像に上記所定の操作を行えばよい。コンテンツがファイルである場合、操作対象画像が消去されるのに伴って実際のファイルも記憶部から消去されてもよい。
【００１６】
上記制御部は、上記経年変化の表現として、上記各操作対象画像上に埃を表現した埃画像を重畳してもよい。この場合制御部は、上記所定の操作として、上記各操作対象画像上で所定時間内に所定方向で往復するドラッグ操作が入力された場合に、上記各操作対象画像から上記埃画像を消去するように上記出力部を制御してもよい。
【００１７】
これにより情報処理装置は、操作用画像の経年変化を操作対象画像に積もった埃として表現することで、当該経年変化をユーザに直感的に把握させ、かつ、当該埃を拭うようなドラッグ操作により、経年変化の表現をユーザに直感的に消去させることができる。ここで上記所定時間とは例えば０．５秒〜１秒程度であるが、これに限られない。上記所定方向は、上、下、左、右、斜めのいずれの方向であってもよい。
【００１８】
上記制御部は、上記各操作対象画像上で入力された上記ドラッグ操作の回数に応じて上記埃画像を所定量ずつ消去するように上記出力部を制御してもよい。この場合制御部は、当該消去後に上記各操作対象画像上に残った埃画像の量に応じて、上記各起動操作が入力されない期間を計算してもよい。
【００１９】
これにより情報処理装置は、実際の埃を繰り返し拭うことで徐々に埃がなくなるような直感的な操作により埃画像をユーザに消去させることができる。またユーザはドラッグ操作の回数を調整することで、操作対象画像が消去されるまでの期間を調整することができる。
【００２０】
上記操作入力部はタッチパネルを有してもよく、上記制御部は、上記タッチパネル上での上記ユーザの指による上記ドラッグ操作中の接触圧力または接触面積に応じて、上記消去される埃画像の量を可変するように上記出力部を制御してもよい。この場合制御部は、当該消去後に上記各操作対象画像上に残った埃画像の量に応じて、上記各起動操作が入力されない期間を計算してもよい。
【００２１】
これにより情報処理装置は、実際の埃を拭う場合と同様に、大きな圧力または面積でドラッグ操作が入力されるほど多くの量の埃画像が消去されるため、ドラッグ操作に応じて埃画像が消去される量をユーザに直感的に理解させることができる。またユーザはドラッグ操作時の接触圧力または接触面積を調整することで、操作対象画像が消去されるまでの期間を調整することができる。
【００２２】
上記出力部は、上記各操作対象画像を平面方向から捉えた第１の画面と、上記各操作対象画像を側面方向から捉えた第２の画面とを切り替えて出力可能であってもよい。この場合上記制御部は、上記経年変化の表現として、上記第１の画面上及び上記第２の画面上で、上記各操作対象画像が当該各操作対象画像の主面の垂直方向に沈み込むような三次元表現を付与するように上記出力部を制御してもよい。さらに制御部は、上記所定の操作として、上記第２の画面上で上記沈み込んだ各操作対象画像を上方に移動させるドラッグ操作が入力された場合に、当該ドラッグ操作後に切り替わった上記第１の画面上で、上記ドラッグ操作による上記各操作対象画像の移動距離に応じて、上記沈み込むような三次元表現を変化させるように上記出力部を制御してもよい。
【００２３】
これにより情報処理装置は、操作用画像の経年変化を操作対象画像の沈み込みとして表現することで、当該経年変化をユーザに直感的に把握させ、かつ、当該沈み込んだ操作対象画像を押し上げるようなドラッグ操作により、経年変化の表現をユーザに直感的に消去させることができる。
【００２４】
上記情報処理装置は、当該情報処理装置の傾きを検出するセンサをさらに有してもよい。この場合上記制御部は、上記センサにより検出された傾きに応じて上記第１の画面と上記第２の画面とを切り替えるように上記出力部を制御してもよい。
【００２５】
これにより情報処理装置は、当該情報処理装置の傾きに応じて操作対象画像のビューを変更することで、操作対象画像を押し上げるためのドラッグ操作をユーザに容易に行わせることができる。ここで上記センサとは、例えば加速度センサ、ジャイロスコープ、地磁気センサ等である。
【００２６】
上記記憶部は、上記各コンテンツの種別を示すメタデータを記憶してもよい。この場合上記制御部は、上記記憶されたメタデータに応じて、上記経年変化の表現の程度を可変するように上記出力部を制御してもよい。
【００２７】
これにより情報処理装置は、コンテンツの種別に応じて経年変化の表現の程度を可変することで、例えば特定のコンテンツについては経年変化速度を極力速くまたは遅くしたいといったコンテンツの種別に応じたユーザの要求を満たすことができる。例えば、特定の期間にしか起動される意味がないようなファイル（例えば特定の期日のイベントに関連したファイルや、使用期限が定まっているファイル等）は速く経年変化されてもよい。
【００２８】
上記制御部は、特定のコンテンツに対応する上記操作対象画像については上記経年変化の表現を付与しないように上記出力部を制御してもよい。
【００２９】
これにより情報処理装置は、経年変化の表現に適しないコンテンツについては、その操作対象画像を経年変化しないまま保つことができる。例えばコンテンツが写真である場合、ユーザは頻繁にはその写真を閲覧しないものの、思い出として時折閲覧することを望むため、当該写真については経年変化の表現が付与されなくてもよい。このような処理を行うため、情報処理装置は、経年変化の表現を付与しないコンテンツを示すデータを予め記憶していてもよいし、ユーザの嗜好を学習してそのようなコンテンツを決定してもよいし、ユーザがそのようなコンテンツを選択してもよい。
【００３０】
本発明の他の形態に係る情報処理方法は、複数のコンテンツの各起動操作の対象となる複数の操作対象画像を出力することを含む。ユーザから上記各起動操作が受け付けられると、上記各起動操作の履歴情報が記憶される。上記履歴情報を基に、上記複数の操作対象画像に上記各起動操作が入力されない期間の長さに応じたレベルで、上記複数の操作対象画像に経年変化の表現が付与される。さらに、上記経年変化の表現が付与された操作対象画像に、上記各起動操作とは異なる所定の操作が入力された場合には、上記経年変化の表現の少なくとも一部が消去される。
【００３１】
本発明のまた別の形態に係るプログラムは、情報処理装置に、出力ステップと、操作受付ステップと、記憶ステップと、経年変化の表現を付与するステップと、消去ステップとを実行させる。上記出力ステップでは、複数のコンテンツの各起動操作の対象となる複数の操作対象画像が出力される。上記操作受付ステップでは、ユーザから上記各起動操作が受け付けられる。上記記憶ステップでは、上記各起動操作の履歴情報が記憶される。上記経年変化の表現を付与するステップでは、上記履歴情報を基に、上記複数の操作対象画像に上記各起動操作が入力されない期間の長さに応じたレベルで、上記複数の操作対象画像に経年変化の表現が付与される。上記消去ステップでは、上記経年変化の表現が付与された操作対象画像に、上記各起動操作とは異なる所定の操作が入力された場合に、上記経年変化の表現の少なくとも一部が消去される。
【発明の効果】
【００３２】
以上説明したように、本発明によれば、コンテンツの起動操作の頻度に応じて、当該コンテンツの起動操作対象画像を容易に区別可能なように変化させるとともに、当該変化を少なくとも部分的に容易にキャンセルすることができる。
【図面の簡単な説明】
【００３３】
【図１】本発明の第１実施形態に係る情報処理端末の外観を示す正面図である。
【図２】本発明の第１実施形態に係る情報処理端末の電気的な構成を示すブロック図である。
【図３】本発明の第１実施形態に係る情報処理端末が、アイコンに経年変化の表現を与える処理の流れを示したフローチャートである。
【図４】本発明の第１実施形態に係る情報処理端末が、アイコンを介したコンテンツの起動操作に応じて経年変化の表現を消去する処理の流れを示したフローチャートである。
【図５】本発明の第１実施形態に係る情報処理端末が、アイコンへの所定のドラッグ操作に応じて経年変化の表現を消去する処理の流れを示したフローチャートである。
【図６】本発明の第１実施形態におけるアイコンの経年変化の様子を示した図である。
【図７】本発明の第２実施形態に係る情報処理端末の電気的な構成を示すブロック図である。
【図８】本発明の第２実施形態に係る情報処理端末が、アイコンに経年変化の表現を与える処理の流れを示したフローチャートである。
【図９】本発明の第２実施形態におけるアイコンの経年変化の様子を示した図である。
【図１０】本発明の第２実施形態に係る情報処理端末が、アイコンを介したコンテンツの起動操作に応じて経年変化の表現を消去する処理の流れを示したフローチャートである。
【図１１】本発明の第２実施形態に係る情報処理端末が、コンテンツの起動操作によらずに、アイコンへの所定のドラッグ操作に応じて経年変化の表現を消去する処理の流れを示したフローチャートである。
【図１２】本発明の第２実施形態に係る情報処理端末が、アイコンへの所定のドラッグ操作に応じて経年変化の表現を消去する様子を示した図である。
【発明を実施するための形態】
【００３４】
以下、図面を参照しながら、本発明の実施形態を説明する。
【００３５】
＜第１実施形態＞］
まず、本発明の第１実施形態について説明する。
【００３６】
［情報処理端末の外観］
図１は、本実施形態に係る情報処理端末（スマートフォン）１００を示す正面図である。
【００３７】
図１に示すように、情報処理端末１００は、例えばユーザが片手で保持できる大きさ及び形状の筐体１０を有する。筐体１０の内部には、表示部１１が配置されている。表示部１１上には、ユーザの指やスタイラスペン等の接触位置を検出するタッチパネル１２が一体的に配置されている。筐体１０の正面側の上端部近傍には、図示しない受話口が設けられており、筐体１０の正面側の下端部近傍には、図示しない通話口が設けられている。
【００３８】
表示部１１は、例えば、液晶ディスプレイや、ＥＬ（Electro-Luminescence）ディスプレイ等により構成される。タッチパネル１２としては、例えば、抵抗膜方式、静電容量方式のタッチパネル１２が挙げられるが、どのような方式のタッチパネル１２であっても構わない。タッチパネル１２は、ユーザの操作の位置、接触面積及び接触圧力等を検出することが可能である。
【００３９】
表示部１１（タッチパネル１２）には、例えば初期メニュー画面として、ファイルやアプリケーション等のコンテンツの起動操作の対象となる複数のアイコン１が表示される。ユーザは複数のアイコン１から所望のアイコン１を選択し、所望のファイルを開いたり、アプリケーションを実行したりすることができる。
【００４０】
［情報処理端末の構成］
図２は、情報処理端末１００の電気的な構成を示すブロック図である。同図に示すように、情報処理端末１００は、上記した表示部１１、タッチパネル１２の他に、通信部１３、アンテナ１４、ＣＰＵ１５、ＣＰＵ（Central Processing Unit）１５、スピーカ１６、マイクロフォン１７、ＲＡＭ（Random Access Memory）１８、フラッシュメモリ１９を備えている。
【００４１】
通信部１３は、アンテナ１４により送受信される電波の周波数変換や、変調及び復調等の処理を実行する。アンテナ１４は、通話用の電波や、電子メール、Ｗｅｂデータ等のパケット通信用の電波を送受信する。
【００４２】
スピーカ１６は、デジタル／アナログ変換機や増幅器等を含む。スピーカ１６は、ＣＰＵ１５から入力された通話用の音声データに対してデジタル／アナログ変換処理及び増幅処理を実行し、受話口（図示せず）を介して音声を出力する。
【００４３】
マイクロフォン１７は、アナログ／デジタル変換機等を有する。マイクロフォン１７は、ユーザから通話口を介して入力されたアナログ音声データをデジタル音声データへ変換してＣＰＵ１５へ出力する。ＣＰＵ１５へ出力されたデジタル音声データは、符号化された後、通信部１３及びアンテナ１４を介して送信される。
【００４４】
ＲＡＭ１８は、ＣＰＵ１５の作業領域として用いられる揮発性のメモリである。ＲＡＭ１８は、ＣＰＵ１５の処理に用いられる各種のプログラムや各種のデータを一時的に記憶する。
【００４５】
フラッシュメモリ１９は、上記コンテンツのほか、ＣＰＵ１５の処理に必要な各種のプログラムや各種のデータが記憶される不揮発性のメモリである。フラッシュメモリ１９はまた、上記アイコン１を介したコンテンツの起動操作の履歴情報を記憶する。
【００４６】
ＣＰＵ１５は、情報処理端末１００の各部を統括的に制御し、各種のプログラムに基づき種々の演算を実行する。例えばＣＰＵ１５は、タッチパネル１２から入力された操作位置、接触面積値等の値を基に演算を行い、その結果を表示部１１に表示させる。また特に本実施形態においてＣＰＵ１５は、後述するように、上記フラッシュメモリ１９に記憶されたプログラムと協働して、アイコン１に経年変化の表現を与える処理及び当該経年変化の表現をキャンセルする処理を統括的に制御する。
【００４７】
［情報処理端末の動作］
次に、本実施形態における情報処理端末１００の動作について説明する。以下の説明では、情報処理端末１００のＣＰＵ１５を動作主体として説明するが、当該動作は、図２で示したその他のハードウェアやソフトウェアとも協働して実行される。
【００４８】
（経年変化の表現の付与処理）
図３は、情報処理端末１００が、アイコン１に経年変化の表現を与える処理の流れを示したフローチャートである。本実施形態においては、情報処理端末１００は、経年変化の表現を、アイコン１に埃が積もる表現として実現している。すなわち、実生活において、ユーザがある物を使わずに放置しておくと、その物が埃を被るのと同様に、ユーザがアイコン１にアクセスしていない期間に応じて、当該アイコン１に埃を示す画像（以下、埃画像）が重畳されていく。
【００４９】
同図に示すように、まず、ＣＰＵ１５は、例えば新たなファイルが作成された場合や新たなアプリケーションがインストールされた場合等、新たなコンテンツが生成または記憶されたときに、アイコン１を生成する（ステップ３１）。
【００５０】
続いてＣＰＵ１５は、アイコン１に重畳された埃画像のレベル（経年変化のレベル）が上限値を超えたか否かを判断する（ステップ３２）。
【００５１】
本実施形態では、経年変化の程度として複数のレベルが用意され、それに応じた埃画像が用意される。これら各レベルの埃画像は例えば上記フラッシュメモリ１９に記憶されている。例えばレベルが４つである場合、上記上限値は第４のレベルである。この上限値は、例えば９０日、１２０日、１８０日、３６０日等の期間に対応しており、その他の埃画像のレベルに対応する期間も、当該上限値によって例えば等間隔に設定される。例えばレベルが４つであり、上限値が１２０日である場合、第１のレベルの埃画像は３０日に対応し、第２のレベルは６０日に対応し、第３のレベルは９０日に対応する。
【００５２】
上記ステップ３２において、埃画像のレベルが上限値を超えていない場合（Ｎｏ）、ＣＰＵ１５は、上記記憶された履歴情報を基に、アイコン１への非アクセス期間（アイコン１に対する起動操作が入力されない期間）が所定時間Ｔを越えているか否かを判断する（ステップ３４）。
【００５３】
非アクセス期間がＴを超えていると判断した場合（ステップ３４のＹｅｓ）、ＣＰＵ１５は、アイコン１に現在のレベルの埃画像に代えて、次のレベルの埃画像を重畳させる（ステップ３５）。
【００５４】
続いてＣＰＵ１５は、上記Ｔを所定時間ｔだけ更新し（Ｔ＝Ｔ＋ｔ）、上記ステップ３２以降の処理を繰り返す。
【００５５】
上記時間Ｔは、上記各レベルの期間に対応し、上記時間ｔは、各レベル間の差分の期間に対応する。上述したように、例えばレベル数が４つであり上記上限値が１２０日である場合、ｔは３０日である。
【００５６】
そして、上記ステップ３２において、埃画像のレベルが上限値を超えていると判断した場合（Ｙｅｓ）、ＣＰＵ１５は、当該アイコン１を表示部１１から削除する（ステップ３３）。ＣＰＵ１５は、以上の処理を、表示部１１に表示される各アイコンに対して実行する。
【００５７】
図６は、本実施形態におけるアイコン１の経年変化の様子を示した図である。同図では、埃画像のレベルが４つである場合が示されている。同図（Ａ）〜（Ｅ）に示すように、各レベルの埃画像において、埃は、所定の色（例えば茶色や黒色）のドットの集合として表現される。経年変化が大きいほど、すなわちアイコン１への非アクセス期間が長いほど、アイコン１に重畳される埃画像におけるドットの密度も高くなる。同図（Ａ）に示すアイコン１の初期状態（埃画像が重畳されていない状態）から、非アクセス期間が上記時間Ｔを経過するたびに、アイコン１により密度の高い埃画像が重畳されていく（同図（Ｂ）〜（Ｄ））。つまり、ユーザには、アイコン１への非アクセス期間が長いほど、アイコン１がより多くの埃を被っているように見える。
【００５８】
そして、同図（Ｅ）に示すように、アイコン１への非アクセス期間が上記上限値を超えた場合、アイコン１は消去される。本実施形態において用意される、異なるレベルの埃画像（同図（Ｂ）〜（Ｄ））の数は、レベルの数から１を引いた数である。当該レベルの変化は、レベル差がユーザにも一目で把握できるような変化でもよいし、局所的に見るとユーザには把握できないような、よりリニアな変化でもよい。リニアな変化になればなるほど、用意される埃画像の数が増加し、上記時間Ｔの更新回数も増加し、上記時間ｔは短くなる。
【００５９】
このように、アイコン１の経年変化が埃画像の重畳により示されることで、ユーザからは、長期間アクセスしていないアイコン１に埃が積もっていくように見え、非アクセス期間が直感的に理解される。
【００６０】
（経年変化の表現の消去処理）
本実施形態において、情報処理装置は、上述のようにして経年変化の表現としてアイコン１に重畳された埃画像を消去することができる。埃画像が消去される場合としては、２つの場合がある。１つは、アイコン１を介してユーザがコンテンツの起動操作（例えばタップ操作やダブルタップ操作）を行った場合であり、もう１つは、ユーザが、コンテンツを起動させることなく、アイコン１（埃画像）に所定のドラッグ操作を行った場合である。以下、これら２つの場合の処理について説明する。
【００６１】
図４は、情報処理端末１００が、アイコン１を介したコンテンツの起動操作に応じて埃画像を消去する処理の流れを示したフローチャートである。
【００６２】
同図に示すように、まずＣＰＵ１５は、アイコン１に起動操作が入力されたか否かを判断する（ステップ４１）。当該起動操作が入力された場合（ステップ４１のＹｅｓ）、ＣＰＵ１５は、当該起動操作対象のアイコン１に埃画像が重畳されているか否かを判断する（ステップ４２）。
【００６３】
アイコン１に埃画像が重畳されていると判断した場合（ステップ４２のＹｅｓ）、ＣＰＵ１５は、当該埃画像を消去する（ステップ４３）。この処理によりアイコン１は初期状態に戻ることになる。すなわち、上記非アクセス期間がリセットされ、当該初期状態から再び非アクセス期間が計算される。そしてＣＰＵ１５は、当該アイコン１に対応するコンテンツを起動させる（ステップ４４）。アイコン１に埃画像が重畳されていない場合（ステップ４２のＮｏ）、ＣＰＵ１５はアイコン１には何ら処理を行うことなくコンテンツを起動させる（ステップ４４）。
【００６４】
図５は、情報処理端末１００が、コンテンツの起動操作によらずに、アイコン１への所定のドラッグ操作に応じて埃画像を消去する処理の流れを示したフローチャートである。
【００６５】
同図に示すように、まずＣＰＵ１５は、アイコン１上で、所定時間内に所定方向に往復するドラッグ操作が入力されたか否かを判断する（ステップ５１）。所定時間とは例えば０．５秒、１秒、１．５秒等であるがこれらに限られない。所定方向とは上、下、左、右、斜め、円周方向等であるが、これらに限られない。このようなドラッグ操作は、ユーザにとっては、アイコン１が被った埃を拭うような操作として認識されている。
【００６６】
上記ドラッグ操作があった場合（ステップ５１のＹｅｓ）、ＣＰＵ１５は、当該ドラッグ操作対象のアイコン１に埃画像が重畳されているか否かを判断する（ステップ５２）。
【００６７】
アイコン１に埃画像が重畳されている場合（ステップ５２のＹｅｓ）、ＣＰＵ１５は、上記ドラッグ操作の往復回数、押圧力、または接触面積等のパラメータをタッチパネル１２から取得し、それらパラメータに応じた量の埃をアイコン１から消去する。具体的には、ＣＰＵ１５は、アイコン１に重畳された埃画像のレベルを、当該パラメータに応じてより低いレベルの埃画像へと変更する。
【００６８】
上記図６には、上記ドラッグ操作時のパラメータに応じてアイコン１に残る埃の量が変わる様子も示されている。同図（Ｆ）に示すように、例えば現在重畳されている埃画像が同図（Ｄ）のレベルであり、上記ドラッグ操作の往復回数、押圧力または接触面積といったパラメータ強度がＬ１である場合、埃画像は同図（Ｃ）のレベルへ変更される。同様に、パラメータ強度がＬ２（Ｌ２＞Ｌ１）である場合、埃画像は同図（Ｂ）のレベルへ変更され、パラメータ強度がＬ３（Ｌ３＞Ｌ２）である場合、埃画像は同図（Ａ）のレベル（初期状態）へ変更される。埃画像のレベルが変更された場合には、当該レベルを基準として、上記アイコン１の消去処理のための上限値を超えたか否かが判断される。
【００６９】
ユーザから見ると、アイコン１が被っている埃を軽いタッチで拭えば減る埃の量は少なく、強いタッチでまたは何度も拭えば減る埃の量も多くなるため、実際の埃を拭うような直感的な操作が実現される。
【００７０】
ここでＣＰＵ１５、上記パラメータ強度に応じて単に埃画像全体を差し替えるのではなく、上記パラメータにさらにドラッグ操作時のタッチ位置も加味して、埃画像の一部の領域のみを他のレベルの埃画像へと差し替えてもよい。この場合、アイコン１のドラッグ操作対象となった領域はより低いレベルの（埃の密度が小さい）埃画像となり、それ以外の領域はそのまま残る。また、アイコン１の全体が操作対象となった場合でも、領域によってパラメータ強度が異なる場合は、それに応じて領域ごとに異なるレベルの埃画像へと変更される。
【００７１】
このように、埃画像を段階的にまたは部分的に消去する機能は、ユーザが、あるアイコン１について、いずれは不要になるものの、あともう少し残しておきたいと考える場合に有効である。すなわち、ユーザは、アイコン１を残しておきたい期間に応じて上記パラメータ強度を調整することで、アイコン１が消去されるまでの期間を調整することができる。
【００７２】
［まとめ］
以上説明したように、本実施形態によれば、情報処理端末１００は、アイコン１の経年変化を、アイコン１への非アクセス期間に応じた埃画像として表現することで、頻繁にアクセスするアイコン１とそうでないアイコン１とを埃画像のレベルによってユーザに容易に把握させることができる。また情報処理端末は、当該埃画像を、埃を拭うようなユーザのドラッグ操作に応じて、アイコン１に対応するコンテンツを起動させることなく埃画像を消去することができる。しかも、当該消去は当該ドラッグ操作におけるパラメータ強度に応じて部分的にも行われ得るため、ユーザはアイコン１が消去されるまでの期間を調整することができる。
【００７３】
＜第２実施形態＞］
次に、本発明の第２実施形態について説明する。以下の説明において、上記第１実施形態と同様の構成となる箇所については同一の符号を付し、説明を省略または簡略化する。
【００７４】
［情報処理端末の構成］
図７は、本実施形態に係る情報処理端末（スマートフォン）２００の電気的な構成を示すブロック図である。同図に示すように、情報処理端末２００は、第１実施形態に係る情報処理端末１００と同様の構成に加えて、センサ２０を有する。
【００７５】
センサ２０は、情報処理端末２００（筐体１０）の傾きを検出するセンサである。センサ２０としては、例えば、加速度センサ（例えば、ピエゾ抵抗型、圧電型、静電容量型等）、ジャイロスコープ（例えば、振動型ジャイロスコープ、回転コマジャイロスコープ等）、角度センサ（例えば、地磁気センサ等）のモーションセンサが挙げられる。センサ２０は、上記例示した各種モーションセンサのうち少なくとも２種類以上の組み合わせであってもよい。
【００７６】
［情報処理端末の動作］
次に、本実施形態における情報処理端末２００の動作について説明する。以下の説明では、情報処理端末２００のＣＰＵ１５を動作主体として説明するが、当該動作は、図７で示したその他のハードウェアやソフトウェアとも協働して実行される。
【００７７】
上述の第１実施形態においては、アイコン１の経年変化は埃画像として表現されたが、本実施形態では、アイコン１の経年変化として、アイコン１に対して、アイコン１が沈み込むような三次元表現が付与される。すなわち、情報処理端末２００は、アイコン１への非アクセス期間に応じて、アイコン１を、その主面の垂直方向（表示部１１の奥方向）へと移動させるような三次元画像処理を実行する。
【００７８】
（経年変化の表現の付与処理）
図８は、情報処理端末２００が、アイコン１に経年変化の表現を与える処理の流れを示したフローチャートである。
【００７９】
同図に示すように、ＣＰＵ１５は、アイコン１を生成すると（ステップ８１）、当該アイコン１の移動量が上限値を超えたか否かを判断する（ステップ８２）。当該上限値も、上記第１実施形態と同様に、９０日、１２０日、１８０日、３６０日等の一定の期間に対応している。また経年変化の程度、すなわちアイコン１の沈み込みのレベルが複数設定され、それに応じたアイコン１の画像が用意される。すなわち、アイコン１への非アクセス期間が長い程、そのアイコン１は表示部１１の奥へ移動していき、平面的にはその大きさが小さくなる。フラッシュメモリ１９等は、当該レベルに応じたアイコン１の複数の三次元画像を記憶している。
【００８０】
上記ステップ８２において、アイコン１の移動量が上限値を超えていないと判断された場合（Ｎｏ）、ＣＰＵ１５は、アイコンへ１への非アクセス期間が時間Ｔを越えているか否かを判断する（ステップ８４）。
【００８１】
非アクセス時間が時間Ｔを越えていると判断した場合（Ｙｅｓ）、ＣＰＵ１５は、アイコン１を所定距離だけ奥に移動させる（ステップ８５）。実際には、ＣＰＵ１５は、当該アイコン１の三次元画像を、当該アイコン１を所定距離だけ移動させた場合に対応する次のレベルの三次元画像へと差し替える。
【００８２】
続いてＣＰＵ１５は、上記Ｔを所定時間ｔだけ更新し（Ｔ＝Ｔ＋ｔ）、上記ステップ８２以降の処理を繰り返す。上記時間Ｔ及びｔは上述の第１実施形態と同様に設定される。
【００８３】
そして、上記ステップ８２において、アイコン１の移動量が上限値を超えていると判断した場合（Ｙｅｓ）、ＣＰＵ１５は、当該アイコン１を表示部１１から削除する（ステップ８３）。ＣＰＵ１５は、以上の処理を、表示部１１に表示される各アイコンに対して実行する。
【００８４】
図９は、本実施形態におけるアイコンの経年変化の様子を示した図である。同図（Ａ−１）、（Ｂ−１）、（Ｃ−１）は、アイコン１を平面方向から捉えたビュー（平面ビュー）を示し、同図（Ａ−２）、（Ｂ−２）、（Ｃ−２）は、アイコン１を斜め上方向から捉えたビュー（斜めビュー）を示し、同図（Ａ−３）、（Ｂ−３）、（Ｃ−３）は、アイコン１を側面（やや斜め上）方向から捉えたビュー（側面ビュー）を示す。
【００８５】
本実施形態において、情報処理端末２００は、上記平面ビューと側面ビューを切り替えて表示部１１に表示することが可能である。上記斜めビューは本実施形態の説明を分かりやすくするために便宜上図示したものである。しかし、情報処理端末２００が当該斜めビューを表示可能であってもよい。デフォルトのビューは例えば平面ビューとされ、当該平面ビュー上で、アイコン１を介した各コンテンツの起動操作が実行される。平面ビューが表示された状態で、ユーザが情報処理端末２００を例えば表示部１１の水平方向の軸回りに所定角度以上傾ける（回転させる）と、上記センサ２０が当該傾きを検出してＣＰＵ１５へ出力し、ＣＰＵ１５はそれに応じて平面ビューを側面ビューへ切り替えるように表示部１１を制御する。情報処理端末２００がこれとは逆方向に傾けられることで、再び平面ビューへと切り替わる。
【００８６】
図９の（Ａ−１）、（Ａ−２）及び（Ａ−３）は、各ビューおけるアイコン１の初期状態を示す。この初期状態から、例えばアイコン１への非アクセス期間に応じて、アイコン１が平面ビューの奥方向（斜めビュー及び側面ビューの下方）へと移動し、その移動量が上記上限値を超えるとアイコン１は表示部１１から消去される。
【００８７】
例えば、同図（Ｂ−１）、（Ｂ−２）及び（Ｂ−３）に示すように、アイコン１ａ等の他のアイコンと比較して、アイコン１ｂはやや下方へ移動しており、アイコン１ｃはそれよりもさらに移動している。そして、同図（Ｃ−１）、（Ｃ−２）及び（Ｃ−３）に示すように、アイコン１ｃは、さらに非アクセス期間が継続し上記上限値を超えたことにより消去される。
【００８８】
このように、アイコン１の経年変化がアイコン１の沈み込みで表現されることで、ユーザからは、長期間アクセスしていないアイコンが重力によって沈み込んでいくように見え、非アクセス期間が直感的に理解される。
【００８９】
（経年変化の表現の消去処理）
本実施形態においても、情報処理端末２００は、上記第１実施形態と同様、アイコン１へ付与された経年変化の表現を消去することが可能であり、消去される場合として、第１実施形態と同様に２つの場合がある。すなわち、１つは、アイコン１を介してユーザがコンテンツの起動操作（例えばタップ操作やダブルタップ操作）を行った場合であり、もう１つは、ユーザが、コンテンツを起動させることなく、アイコン１に所定のドラッグ操作を行った場合である。以下、これら２つの場合の処理について説明する。
【００９０】
図１０は、情報処理端末２００が、アイコン１を介したコンテンツの起動操作に応じて、沈み込んだアイコン１を初期位置へ戻す処理の流れを示したフローチャートである。
【００９１】
同図に示すように、まずＣＰＵ１５は、アイコン１に起動操作が入力されたか否かを判断する（ステップ１０１）。当該起動操作が入力された場合（ステップ１０１のＹｅｓ）、ＣＰＵ１５は、当該起動操作対象のアイコン１が奥（下方）へ移動されているか否かを判断する（ステップ１０２）。
【００９２】
アイコン１が奥へ移動されていると判断した場合（ステップ１０２のＹｅｓ）、ＣＰＵ１５は、当該アイコン１を初期位置へと戻す（ステップ１０３）。すなわちＣＰＵ１５は、奥へ移動していたアイコン１に対応する三次元画像を、アイコン１の初期位置に対応する三次元画像へと差し替える。これにより、上記非アクセス期間がリセットされ、当該初期位置から再び非アクセス期間が計算される。そしてＣＰＵ１５は、当該アイコン１に対応するコンテンツを起動させる（ステップ１０４）。アイコン１が奥に移動されていない（初期位置のままである）場合（ステップ１０２のＮｏ）、ＣＰＵ１５はアイコン１には何ら処理を行うことなくコンテンツを起動させる（ステップ１０４）。
【００９３】
図１１は、情報処理端末２００が、コンテンツの起動操作によらずに、アイコン１へのドラッグ操作に応じてアイコン１を初期位置へ戻す処理の流れを示したフローチャートである。また図１２は、アイコン１へのドラッグ操作に応じてアイコン１が初期位置へ戻される様子を示した図である。
【００９４】
図１１に示すように、まずＣＰＵ１５は、上記平面ビューが表示された状態から、情報処理端末２００が所定角度以上傾けられたか否かを判断する（ステップ１１１）。所定角度以上傾けられたと判断した場合（Ｙｅｓ）、ＣＰＵ１５は、上記側面ビューを表示させる（ステップ１１２）。
【００９５】
続いてＣＰＵ１５は、当該側面ビューのアイコン１上で、上方へのドラッグ操作が入力されたか否かを判断する（ステップ１１３）。このドラッグ操作は、ユーザにとっては、下方に移動したアイコン１を押し上げるような操作として認識される。
【００９６】
上記ドラッグ操作があった場合（ステップ１１３のＹｅｓ）、ＣＰＵ１５は、当該ドラッグ操作対象のアイコン１が、下方に移動されているか否かを判断する（ステップ１１４）。
【００９７】
アイコン１が下方に移動されている場合（ステップ１１４のＹｅｓ）、ＣＰＵ１５は、上記ドラッグ操作における指の移動距離に応じて、アイコン１を上方へと移動させる（ステップ１１５）。
【００９８】
図１２の（Ａ−１）及び（Ａ−２）は、それぞれ上記ドラッグ操作前における上記斜めビュー及び側面ビューを示し、（Ｂ−１）及び（Ｂ−２）は、それぞれ上記ドラッグ操作後における上記斜めビュー及び側面ビューを示している。同図の例では、下方へ移動していたアイコン１ｂを押し上げるユーザのドラッグ操作により、初期位置のアイコン１ａ等と同じ位置まで戻されている。ユーザがアイコン１を初期位置ではなく途中までドラッグした場合には、アイコン１はそれに応じた位置まで戻される。
【００９９】
当該側面ビュー上でアイコン１が上方へ移動された後、側面ビューが平面ビューに切り替わった場合、ＣＰＵ１５は、当該上方への移動距離に応じて、アイコン１の三次元画像を他のレベルの三次元画像へと差し替えて表示する。これにより、当該アイコン１は、上記ドラッグ操作前よりも手前に表示されることになる。
【０１００】
このように、情報処理端末２００は、ドラッグ操作の移動距離に応じた距離だけ、沈み込んだアイコン１の位置を戻すことが可能なため、ユーザは、アイコン１を残しておきたい期間に応じてドラッグ操作による移動距離を調整することで、アイコン１が消去されるまでの期間を調整することができる。
【０１０１】
［まとめ］
以上説明したように、本実施形態によれば、情報処理端末２００は、アイコン１の経年変化を、アイコン１への非アクセス期間に応じた沈み込みとして表現することで、頻繁にアクセスするアイコン１とそうでないアイコン１とを埃画像のレベルによってユーザに容易に把握させることができる。また情報処理端末は、当該沈み込んだアイコン１を、アイコン１を押し上げるようなユーザのドラッグ操作に応じて、アイコン１に対応するコンテンツを起動させることなく上方へ移動することができる。しかも、当該上方への移動は、当該ドラッグ操作における指の移動距離に応じて部分的にも行われ得るため、ユーザはアイコン１が消去されるまでの期間を調整することができる。
【０１０２】
［変形例］
本発明は上述の実施形態にのみ限定されるものではなく、本発明の要旨を逸脱しない範囲内において種々変更され得る。
【０１０３】
上述の各実施形態においては、アイコン１に所定のドラッグ操作が入力された場合に経年変化の表現がキャンセルされていたが、例えばフリック操作等、他の操作に応じて経年変化の表現がキャンセルされてもよい。
【０１０４】
また、上記第１実施形態では、埃を拭うようなドラッグ操作により埃画像が消去されたが、例えばユーザがアイコン１に息を吹きかけて埃を吹き飛ばすように、上記マイクロフォン１７から息を吹きかける音声が入力された場合に埃画像が消去されてもよい。さらに、アイコン１の周囲を叩いて埃を落とすように、アイコン１の周囲で複数回のタップ操作が入力された場合に埃画像が消去されてもよい。
【０１０５】
上述の各実施形態においては、アイコンの経年変化の表現をキャンセルするためのドラッグ操作が入力された場合、当該ドラッグ操作時の回数、押圧力、接触面積、移動距離等に応じて部分的に経年変化の表現がキャンセルされた。しかし、そのようなドラッグ操作が１回でも入力された場合には、情報処理端末は、上記押圧力、接触面積、移動距離等に関わらず全ての経年変化の表現をキャンセルしてアイコンを初期状態に戻してもよい。
【０１０６】
上述の各実施形態においては、アイコン１の経年変化は、アイコン１に積もった埃及びアイコン１の沈み込みによって表現されたが、経年変化の表現はこれらに限られない。
【０１０７】
例えば、アイコン１を紙に見立て、古くなった紙が縁から徐々に丸まっていくように、アイコン１への非アクセス期間に応じてアイコン１が縁から丸まっていくような画像処理が実行されてもよい。この場合、丸まる程度に対応する複数レベルのアイコン１の画像が用意され、非アクセス期間に応じて差し替えられる。また、例えば、アイコン１の丸まった縁を掴んで延ばすようなドラッグ操作が入力された場合に、当該丸まりがキャンセルされる。
【０１０８】
また、アイコン１の経年変化を、アイコン１が徐々に凍っていくような画像処理が実行されてもよい。この場合も、凍結の程度に対応する複数レベルのアイコン１の画像が用意され、非アクセス期間に応じて差し替える。また、例えば、凍ったアイコン１を指の温もりで溶かすようなロングタッチ操作が入力された場合に、アイコン１の凍結がキャンセルされる。
【０１０９】
上述の実施形態においては、アイコン１が経年変化の程度または速度はどのコンテンツも一定として説明したが、コンテンツの種別によって、経年変化の程度または速度が可変されてもよい。例えばこれは、上記フラッシュメモリ１９等に、コンテンツの種別及びそれに対応する経年変化速度を示すメタデータが記憶され、ＣＰＵ１５が、当該メタデータに応じて上記Ｔ及びｔを値を可変することで実現されてもよい。この場合、例えば、特定の期間にしか起動される意味がないようなファイル（例えば特定の期日のイベントに関連したファイルや、使用期限が定まっているファイル等）は速く経年変化されてもよい。また、コンテンツ種別ごとに経年変化の程度をユーザが指定してもよい。
【０１１０】
上述の実施形態においては、アイコン１は、非アクセス期間があると例外なく経年変化の表現を付与されたが、特定のコンテンツのアイコン１については経年変化の表現が付与されなくてもよい。これも、特定のコンテンツについてその旨のメタデータが記憶されることで実現される。例えば、例えばコンテンツが写真である場合、ユーザは頻繁にはその写真を閲覧しないものの、思い出として時折閲覧することを望むため、当該写真については経年変化の表現が付与されなくてもよい。
【０１１１】
また、経年変化させないアイコン１をユーザが指定してもよい。この場合、例えば、上記第１実施形態では、どれだけ期間が経過してもアイコン１が埃を被らない領域（例えば屋根がある領域）が用意され、特定のアイコン１をユーザが当該領域にドラッグするような態様でもよい。また上記第２実施形態では、同様にアイコン１が沈み込まない領域（例えば棚のような領域）が用意され、当該領域にユーザがアイコン１をドラッグしてもよい。
【０１１２】
上述の各実施形態においては、表示部１１に初期メニュー画面として一覧表示されるアイコン１についての処理が説明されたが、それ以外のアイコンについて同様の処理が実行されてもよい。例えば、音楽再生アプリケーションが、ユーザの嗜好や操作履歴から再生傾向を抽出し、自動的に楽曲の再生優先度を設定する機能を有しており、再生頻度が低いコンテンツのアイコンに経年変化が付与される場合、上記経年変化の表現のキャンセル処理により、楽曲の再生優先度が上げられてもよい。
【０１１３】
上述の実施形態においては、情報処理端末がタッチパネルを有し、アイコンへの操作はユーザの指による例が示されたが、情報処理端末がタッチパネルを有さず、例えばマウス等の入力装置によりアイコンへの操作が入力されてもよい。この場合、上述したユーザの指による操作（ドラッグ操作）がマウスとポインタを用いた操作に置き換わってもよいが、例えば上記第１実施形態においては、ユーザインタフェースとして、埃を拭うための雑巾のようなツールが用意されてもよい。
【０１１４】
上述の各実施形態においては、アイコンに経年変化の表現が付与される例が示されたが、経年変化の表現が付与される対象はアイコンに限られない。例えば、電子メールクライアントの送受信トレイにおいて一覧表示される各電子メールファイルの項目欄に経年変化の表現が付与されてもよい。この場合、ユーザが例えば、閲覧はしないものの備忘録として残しておきたい電子メールファイルがあれば、そのファイルの項目について上記経年変化の表現のキャンセル処理が実行されてもよい。
【０１１５】
上述の各実施形態においては、情報処理装置として情報処理端末（スマートフォン）を例に挙げた。しかし、本発明は、例えばデスクトップ型、ノートブック型、タブレット型等のＰＣ（Personal Computer）、携帯電話機、テレビジョン装置、デジタルスチルカメラ、デジタルビデオカメラ、記録再生装置、ゲーム機器、ＰＤＡ（Personal Digital Assistants）、電子ブック端末、電子辞書、携帯型ＡＶ機器、カーナビゲーション装置等、その他のあらゆる情報処理装置に適用可能である。
【符号の説明】
【０１１６】
１（１ａ、１ｂ、１ｃ）…アイコン
１１…表示部
１２…タッチパネル
１４…アンテナ
１５…ＣＰＵ
１７…マイクロフォン
１９…フラッシュメモリ
２０…センサ
１００、２００…情報処理端末
【図１】
0005664103.tif 000002
【図２】
0005664103.tif 000003
【図３】
0005664103.tif 000004
【図４】
0005664103.tif 000005
【図５】
0005664103.tif 000006
【図６】
0005664103.tif 000007
【図７】
0005664103.tif 000008
【図８】
0005664103.tif 000009
【図９】
0005664103.tif 000010
【図１０】
0005664103.tif 000011
【図１１】
0005664103.tif 000012
【図１２】
0005664103.tif 000013